(57)【要約】  本発明は、ユーザへ身体組成パラメータの指標を提供する方法に関する。前記方法は、身体組成パラメータを示すデータ値を受信することと、前記データ値を第１バッファへ提供することであって、前記第１バッファは第１所与期間に受信されたデータ値を格納する、前記提供することと、前記データ値と、前記第１所与期間に前記第１バッファに格納されたデータ値から判定された第１許容範囲とを比較することとを含む。前記データ値が前記第１許容範囲内にある場合、前記データ値は第２バッファへ提供され、前記第２バッファは前記第１所与期間よりも長い第２所与期間に前記第１バッファから提供されたデータ値を格納する。前記身体組成パラメータの指標が、前記第２バッファに格納された前記データ値の平均に基づいて前記ユーザへ提供される。【選択図】図２
2019531114.tif 000002
【特許請求の範囲】
【請求項１】
ユーザへ身体組成パラメータの指標を提供する方法であって、
身体組成パラメータを示すデータ値を受信することと、
前記データ値を第１バッファへ提供することであって、前記第１バッファは第１所与期間に受信されたデータ値を格納する、前記提供することと、
前記データ値と、前記第１所与期間に前記第１バッファに格納されたデータ値から判定された第１許容範囲とを比較することと、
前記データ値が前記第１許容範囲内にある場合、前記データ値を第２バッファへ提供することであって、前記第２バッファは前記第１所与期間よりも長い第２所与期間に前記第１バッファから提供されたデータ値を格納する、前記提供することと、前記第２バッファに格納された前記データ値の平均に基づいて前記ユーザへ前記身体組成パラメータの指標を提供することと、
を含むことを特徴とする方法。
【請求項２】
前記身体組成パラメータは、身体インピーダンス、体脂肪率又は筋肉率のうちの１つを含むことを特徴とする請求項１に記載の方法。
【請求項３】
前記身体組成パラメータの前記指標の値と変動閾値とを比較して、前記変動閾値を超過する値を前記ユーザへ提供されるものから除外する手段をさらに含むことを特徴とする請求項１又は２に記載の方法。
【請求項４】
前記指標は、前記ユーザへ提供するために遠隔装置へ送信されることを特徴とする請求項１乃至３の何れか１項に記載の方法。
【請求項５】
前記指標は前記ユーザにより装着されるディスプレイ（４）を介して前記ユーザへ提供されることを特徴とする請求項１乃至３の何れか１項に記載の方法。
【請求項６】
前記データ値は、前記ユーザにより装着される装置から受信されることを特徴とする請求項１乃至５の何れか１項に記載の方法。
【請求項７】
前記ユーザの前記身体のインピーダンスの測定値を取得することと、インピーダンスの前記測定値から前記身体組成パラメータを取得することとをさらに含むことを特徴とする請求項１乃至６の何れか１項に記載の方法。
【請求項８】
前記身体組成パラメータは、バイオインピーダンス解析を使用して取得されることを特徴とする請求項７に記載の方法。
【請求項９】
請求項１乃至８の何れか１項に記載の方法を実行するように構成されたプロセッサ（２０２）を備える装置。
【請求項１０】
前記プロセッサを備えるウェアラブル装置を備えることを特徴とする請求項９に記載の装置。
【請求項１１】
前記ユーザの前記身体と接触する第１電極（５ａ）及び第２電極（５ｂ）をさらに備え、それにより前記身体組成パラメータが計算されうることを特徴とする請求項９又は１０に記載の装置。
【請求項１２】
前記第１電極及び第２電極の１つに電流を提供するための電流ソースと、前記データ値を提供するために電圧降下からインピーダンスが計算される前記第１電極及び前記第２電極（５ａ、５ｂ）における前記電圧降下を測定する電圧測定手段と、をさらに備えることを特徴とする請求項１１に記載の装置。
【請求項１３】
前記第１電極は電極（５ａ１、５ａ２）の第１ペアを備えており、前記第２電極は電極（５ｂ１、５ｂ２）の第２ペアを備えていることを特徴とする請求項１１又は１２に記載の装置。
【請求項１４】
前記第１ペアの前記電極は、並んで又は同心円状の何れかで配置され、前記第２ペアの前記電極は、並んで又は同心円状の何れかで配置されることを特徴とする請求項１３に記載の装置。
【請求項１５】
前記電極の１つは、前記身体組成パラメータの計算以外に前記装置の機能を制御するためのモードで動作するようにさらに構成されることを特徴とする請求項１１乃至１４の何れか１項に記載の装置。
【請求項１６】
ウェアラブル装置であって、前記装置が装着される場合に装着者の身体と電気的に接触するように構成された前記装置の身体側の第１電極（５ａ）と、前記第１電極から前記装着者の身体を通って第２電極への電気回路を完成させるように、前記装着者によりタッチされるように構成された前記装置の反対側の前記第２電極（５ｂ）とを備える身体パラメータ測定回路を備え、前記装置は、ディスプレイ（４）及び複数の装着者アクティビティ関連機能を実行するように構成されたプロセッサ（２０２）をさらに備え、前記第２電極は、前記測定回路の電極として第１モードで動作するとともに、前記装置の別の機能を制御するために前記プロセッサへ入力を提供するためのタッチ入力手段として第２モードで動作するように構成されることを特徴とする装置。
【請求項１７】
並んで又は同心円状に配置された第１電極のペアと、並んで又は同心円状に配置された第２電極のペアとを備えることを特徴とする請求項１６に記載の装置。
【請求項１８】
前記測定回路は、前記測定されたインピーダンスから身体組成パラメータを判定するように構成されたインピーダンス測定解析回路であることを特徴とする請求項１６又は１７に記載の装置。
【請求項１９】
前記測定回路は、前記測定されたインピーダンスから身体組成パラメータを判定するように構成されたバイオインピーダンス解析回路であることを特徴とする請求項１６乃至１８の何れか１項に記載の装置。
【請求項２０】
請求項１乃至９の何れか１項に記載の方法を実行するように構成されたプロセッサ（２０２）を備え、前記測定回路は前記データ値を提供することを特徴とする請求項１６乃至１９の何れか１項に記載の装置。
【発明の詳細な説明】
【技術分野】
【０００１】
本発明は、ユーザの身体組成の測定値又は指標、特に、体脂肪及び／又は筋肉の測定値を提供することに関するものである。
【背景技術】
【０００２】
近年、健康及びフィットネスの分野が大きく発展している。概して、より多くの人々が、健康的な生活を送ること、健康を保つことに関心がある。利用可能な情報技術の改良及び発展により、健康及びフィットネスに関するより多くの情報がユーザにとって利用可能である。フィットネス雑誌及びオンラインソースにより、人々は、最新の医学知識及び健康的なライフスタイルを維持することを助けることができる技術の進歩に関して更新し続けることが可能となる。新規の装置により、フィットネス及び／又は生活の態様、健康を保つ又は健康になるために探求する物理的な又は生理学的なパラメータを人々が追跡することが容易になっている。
【０００３】
例えば、人々が、体格指数（ＢＭＩ）を計算してこれを健康的な値と比較すること、アクティビティ、睡眠、消費／使用カロリー、及び心拍数の量をカウントして、これらを健康的な値と比較すること、血糖レベル、コレステロールレベル等を判定すること、例えば身体組成、例えば体脂肪レベルを解析するために使用されうる、インピーダンス等のパラメータを測定することを可能にさせるためのツールが利用可能である。装置は、利用可能な情報及び自身のフィットネスレベルを識別するためのユーザの望みに沿って発展してきた。
【０００４】
インターネット等を介して情報及びツールへアクセスすることに加えて、いまは、移動電話上のアプリケーション、手首装着型装置等のウェアラブルフィットネストラッカ、及び、追跡機能、測定機能、センシング機能を組み込んだウォッチ等、シンプル且つ便利な方法で自身のフィットネスを追跡することをユーザに可能にさせる装置が市場に多く存在している。
【０００５】
バイオインピーダンス解析（ＢＩＡ）は、身体組成、例えば脂肪、筋肉等を、インピーダンスを含むユーザ入力に基づいて測定するための技術である。ＢＩＡは、身体の水分に対する体脂肪の比率を取得できる、ユーザの身体組織により提供される電気的インピーダンスを判定する。ユーザの身体の一部に取り付けられた電極を使用してＢＩＡを使用して体脂肪を測定することでシンプルな装置が知られている。そうした装置は、単発の絶対計測に対しては十分正確ではないことが分かっているが、個々の時間  変化を追跡することに役立つものである。しかしながら、読み取りの精度は、多数の要因により影響され、任意の特定のユーザについて、１日の間に、例えば、食物が消費されるとき、水和時はいつでも、ユーザ上の測定電極の位置によっても、かなり変化しうる。
【０００６】
身体インピーダンスを測定するシンプルな装置は、例えばユーザの２つの足に配置された２つの電極を含むものであり、手足上の４つの電極、すなわち各手足について２つの電流電圧電極、或いは、ユーザの身体上のさらに多くの電極を使用して、より正確な結果が分かるようになる。
【０００７】
インピーダンス測定回路は、電流ソース、電圧測定回路及びプロセッサを含む。インピーダンスは、２つのセンサ、いわゆる‘２点’システム、を使用して判定されうる。それにより、ソースからの電流が、ある位置で身体と接触している一つの電極から、別の位置で身体と接触している第２電極へ、インピーダンスが測定されるべき身体を通って流れる。電圧測定回路は、インピーダンスを判定するために電極における電圧降下を測定する。
【０００８】
インピーダンス測定の精度は、追加の電極のペアを使用する‘４点’システムを使用して改良されうる。電流は２つの“供給”電極を通じて供給され、２つの‘測定’電極間の電圧降下が測定される。そうしたインピーダンス測定の例は、米国特許出願公開第２０１１／０２０８４５８号明細書に見つけることができる。
【０００９】
上述したように、ウェアラブル又は容易に持ち運びできる健康及びフィットネス監視装置の需要が増大している。そうした４電極手／足装置は、ウェアラブル形式に容易には適さない。近年、手首装着型フィットネストラッカ等のウェアラブル装置に対する、ＢＩＡ解析及び他の身体パラメータ測定解析機能を補助するためのアルゴリズム及び装置が発展している。一つのそうした装置及びアルゴリズムが、米国特許出願公開第２０１６／０８９０５３号明細書で教示されている。インピーダンスは、２電極又は電極の２つのペアを使用して測定され、一方はユーザの手首と接触し、他方は例えばユーザが指でタッチする装置の外を向く側にある。外側電極へのタッチにより、ユーザの手首にタッチする電極からの回路を完成し、身体インピーダンス測定が可能となる。類似の装置が、２点及び４点の両方の計測を使用する米国特許出願公開第２０１６／０１０６３３７号明細書で教示されている。
【００１０】
しかしながら、上述した装置と同様に、そうしたウェアラブル装置でも、特に電極は通常は比較的小さな表面を提示するので、電極とユーザとの間の接触の程度等の様々な要因により不正確な結果となる。関連する電極とユーザの手首との接触は、髪の毛、汗、姿勢等により影響されうる。関連する電極とユーザの指との接触は、指の位置、皮膚のコンダクタンス等により影響されうる。患者の食事及び水の摂取も測定に影響を与えるだろうし、これらは、日によってさえ、任意のユーザについて、脂肪レベル以外の他の要因により変化するだろう。
【００１１】
各日の同じ時間にユーザが測定を行うことにより、これらの不正確性をある程度低減することができる。装置は、測定が行わるべき時、測定が行われるべき方法に関してユーザへ警告するように構成されうるが、これはユーザへの利便性及び単純性を低減し、そうした制御でさえも、読み取りはまだ変動することがわかる。
【００１２】
それ故、ユーザの利便性及び単純性を減じること無しにより正確なＢＩＡ出力を提供するアルゴリズム又は方法、そうしたアルゴリズムを組み込む装置を提供する必要がある。
【発明の概要】
【００１３】
一態様によれば、本発明は、ユーザへ身体組成パラメータの指標を提供する方法であって、
身体組成パラメータを示す新規の測定値を取得することと、
前記新規の測定値を、データストレージ装置に格納された第１データバッファにおける第１データセットへ追加することであって、前記第１データセットは第１所定期間に取得された複数の以前の測定値を含む、前記追加することと、
前記第１データセットにおける前記測定値の平均に基づいて許容範囲を判定することと、
前記新規の測定値が前記判定された許容範囲内である場合に、前記新規の測定値を、前記データストレージ装置に格納された第２データバッファにおける第２データセットへ追加することであって、前記第２データセットは、前記第１所定期間よりも長い第２所定期間に取得された複数の以前の測定値を含む、前記追加することと、
前記第２データセットにおける前記測定値の平均に基づいて、調整された測定値を判定することと、
前記調整された測定値を示すデータを、前記ユーザへの提示のために装置へ提供することと、
を含む方法が提供される。
【００１４】
本発明は、本明細書に記載の本発明の態様又は実施形態の何れかに従った方法を実行するシステムに及ぶ。従って、本発明の第２の態様によれば、ユーザへ身体組成パラメータの指標を提供するシステムであって、
身体組成パラメータを示す新規の測定値を取得する手段と、
前記新規の測定値を、データストレージ装置に格納された第１データバッファにおける第１データセットへ追加する手段であって、前記第１データセットは第１所定期間に取得された複数の以前の測定値を含む、前記手段することと、
前記第１データセットにおける前記測定値の平均に基づいて許容範囲を判定する手段と、
前記新規の測定値が前記判定された許容範囲内である場合に、前記新規の測定値を、前記データストレージ装置に格納された第２データバッファにおける第２データセットへ追加する手段であって、前記第２データセットは、前記第１所定期間よりも長い第２所定期間に取得された複数の以前の測定値を含む、前記追加する手段と、
前記第２データセットにおける前記測定値の平均に基づいて、調整された測定値を判定する手段と、
前記調整された測定値を示すデータを、前記ユーザへの提示のために装置へ提供する手段と、
を備えるシステムが提供される。
【００１５】
当業者により理解されるように、本発明のこの更なる態様は、必要に応じて、本発明の他の態様の何れかに関して本明細書に記載された本発明の好適且つ選択的な特徴のうちの１つ以上又は全てを含みうるし、好適には含む。明示的に述べられていなくても、本発明のシステムは、何れかの態様又は実施形態における本発明の方法に関して記載された何れかのステップを実行する手段を備えてもよく、その逆もまた同様である。
【００１６】
本発明はコンピュータ実施発明であり、本発明の何れかの態様又は実施形態に関連して記載した何れかのステップは、１以上のプロセッサのセットの制御下で実行されてもよい。前記システムに関連して記載した何れかのステップを実行する手段は、１以上のプロセッサのセットであってもよい。
【００１７】
本発明の前記方法は、移動装置により実行されてもよい。前記移動装置はメモリ及び１以上のプロセッサのセットを有する。当該移動装置は、例えばエクササイズアクティビティ（ランニング、サイクリング、スイミング、ハイキング、スキー、ウェイトリフティング等）の間に着用されうる、フィットネスウォッチ、フィットネストラッカ又は他のウェアラブルセンサ等の、ユーザにより装着されるように設計されている装置を含むことができ、それは、トレーニング時の特定の瞬間でのユーザの心拍数等の、ユーザのアクティビティレベルに関する情報を追跡及び表示することができる。従って、いくつかの実施形態では、前記移動装置は、１以上のセンサにより行われた前記測定値を取得して処理する手段に加えて、少なくとも１つの身体組成パラメータを測定するための前記１つ以上のセンサ等の手段を含むことができる。他の実施形態では、前記移動装置は、例えば無線接続を使用して１又は複数の遠隔センサから少なくとも１つの進身体組成パラメータの測定値を受信する手段を含む、移動電話、タブレット装置又は他のコンピュータ装置を含みうる。或いは、本発明の方法はサーバにより実行されてもよい。本発明の方法がサーバ及び移動装置の組み合わせにより実行される他の実施形態が想定される。従って、本発明のシステムは、記載されたステップを実行するように構成された移動装置及び／又はサーバを備えてもよい。
【００１８】
本発明は、ユーザへ身体組成パラメータの指標を提供することを対象としている。前記身体組成パラメータは、通常は、前記指標が提供される前記ユーザの前記身体のパラメータであるだろうが、前記指標は所望のように異なるユーザへ提供されうることが考慮される。前記身体組成パラメータは、測定及び／又は監視されることが望まれるユーザの任意のパラメータであることができ、例えばＢＩＡシステムで測定されるような身体インピーダンスと、例えばＢＩＡシステムを使用して取得されるような体脂肪率と、例えばＢＩＡシステムを使用して取得されるような筋肉率とのうちの１つ以上を含むことができる。従って、例えば、本発明の実施形態では、前記新規の測定値は身体組成パラメータを示す。
【００１９】
本発明では、身体組成パラメータを示す新規の測定値は、例えば、センサ又は測定装置により測定されて取得される。前記新規の測定値は、例えば、体脂肪率及び／又は筋肉率を示すデータでありうる。前記測定値は、例えばバイオインピーダンス解析（ＢＩＡ）装置により測定されるように、ユーザの身体、前記身体の一部のインピーダンスの測定値から取得されうる。上で議論したように、前記センサ又は測定装置は、本発明の前記方法を実行する前記コンピュータ装置内にありうる。例えば、前記測定されたデータ値は無線接続を介して取得される。或いは、前記センサ又は測定装置は、本発明の前記方法を実行する前記コンピュータ装置から遠隔であることができ、例えば、前記測定されたデータ値は、例えばＷｉＦＩ、Ｂｌｕｅｔｏｏｔｈ又は類似の通信プロトコルを介して取得される。好適な実施形態では、前記測定が行われた後すぐに、又は少なくともその後速やかに、調整された測定値を示すデータが、ユーザへ提供される、例えばディスプレイ装置に表示されるように、前記新規の測定値は、前記測定が各センサ又は測定装置により行われた後すぐに取得される。しかし、前記測定値は、過去のある時に行われた測定値でありうることも想定される。
【００２０】
前記新規の測定値は、データストレージ装置、例えばメモリに格納された第１データバッファにおける第１データセットに追加される。前記第１データ設置は、第１所定期間に取得された複数の以前の測定値を含む。実施形態では、前記複数の以前の測定値は、前記第１期間に行われた全ての前記測定値を含みうる。或いは、前記第１データバッファは、前記第１期間に行われた最近の測定値、例えば最近の１０又は１５個の測定値を含みうる。換言すれば、前記第１データバッファは、前記バッファにせいぜい所定数の測定値が存在するようにファーストインファーストアウト（ＦＩＦＯ）バッファとして機能することができる。前記第１期間は、例えば２日等の任意の数の日にちでありうるが、この数は単なる例示である。前記第１データバッファは、短期トレンドバッファとして考えることができる。
【００２１】
許容範囲は、前記第１データセットにおける前記測定値の平均に基づいて判定される。前記平均は、算術平均、調和平均等の平均、中央値、最頻値等、所望の測定値の分布の任意の代表値でありうる。しかしながら、好適な実施形態では、前記判定された平均は前記算術平均である。前記許容範囲は、前記判定された平均に基づいて、例えばそれを中心として、データ値の範囲を規定する。例えば、前記許容範囲は、前記分布の下位のパーセンタイル、例えば４８パーセンタイルくらい、且つ、前記分布の上位パーセンタイル、例え５２パーセンタイルくらいにより規定されうる。前記許容値は、好適には、前記判定された平均の中心、例えば５０パーセンタイルであるが、これに該当する必要はない。前記許容範囲は、取得された測定値が異常値であるかどうか、すなわち最近受信された以前の測定値から統計的に異なるかどうかを判定するために使用される。前記測定値は、前記身体のパラメータ、例えば体脂肪率又は筋肉率に関するものであるので、前記パラメータは短時間で劇的に変化しないことが想定され、従って、最近の以前の測定値から著しく異なる新規の測定値は、“良好”又は有効な測定値ではなく無視されるべきであることが想定される。そうした異常値は“不良”又は無効な測定値として考えることができる。
【００２２】
従って、本発明では、前記新規の測定値は、前記新規の測定値が前記判定された許容範囲内である場合に前記データストレージ装置に格納された第２データバッファにおける第２データセットへ追加されるのみである。前記第２データセットは同様に、複数の以前の測定値を含むが、前記第１データセットと対照的に、これらの測定値は、前記第１期間よりも長い第２所定期間に取得されている。換言すると、前記第１データバッファは短期トレンドバッファとして考えることができる一方、前記第２データバッファは、長期トレンドバッファとして考えることができる。前記第２期間は同様に、１０日等のある数の日にちであることができるが、この数は同様に単なる例示である。理解されるように、新規の測定値は、それらが有効である場合、すなわち、（測定時において前記第１データバッファにおける前記測定値に基づいて）各測定時に判定された前記許容範囲内にある場合に、前記第２データバッファに追加されるのみであり、従って、前記第２データバッファは好適には有効な測定値のみを含む。実施形態では、前記複数の以前の測定値は、前記第２期間に行われた全ての前記有効な測定値を含みうる。或いは、前記第２データバッファは、前記第２期間における最近の有効な測定値を含みうる。換言すると、前記第２データバッファは、せいぜい所定数の有効な測定値が前記バッファに常に存在するようにファーストインファーストアウト（ＦＩＦＯ）バッファとして機能しうる。
【００２３】
本発明では、調整された測定値が、前記第２データセットにおける前記測定値の平均に基づいて判定される。前記平均は、算術平均、調和平均等の平均、中央値、最頻値等、所望の測定値の分布の任意の代表値でありうる。しかしながら、好適な実施形態では、前記判定された平均は前記算術平均である。前記調整された測定値は、前記判定された平均でありうるが、実施形態では、以降で議論されるように、前記調整された測定値は、前記判定された平均に基づいてもよいがそれと等しくなくてもよい。例えば、前記体脂肪率及び前記筋肉率は通常は、所与の期間内に所定量を超えて変化しないことが認識されている。より具体的には、前記体脂肪率及び筋肉率は、多くの場合に、２４時間で１％を超えて変化しないことがわかっている。実施形態では、この知識は、前記調整された測定値を判定するため使用されうる。例えば、前記第２データセットにおける前記測定値の前記平均が、所定量を超えて所与期間にリターンされた以前の調整された測定値と異なる場合、前記平均値は、前記以前の測定値（所望のように）プラスマイナス前記所定量と等しい値へクリップ又は制限される。例えば、本発明の実施形態では、前記平均が、最近の１２時間に行われた任意のリターンされた調整された測定値の上下０．５％超であるかどうかに関する判定が行われ、これに該当すると判定される場合、前記平均は所望のように増減される。
【００２４】
前記調整された測定値を示すデータは、例えば、前記ユーザがＢＩＡセンサの１以上の電極と対話することによって、行われた測定に応じて前記ユーザへの提示のために装置へ提供される。実施形態では、前記調整された測定値を示すデータは、前記調整された測定値の前記値である。例えば、調整された測定値は、表示、解析等のために、例えば無線通信装置（例えばＢｌｕｅｔｏｏｔｈ、ＷｉＦｉ等）等の通信装置を使用して別の装置へ、例えばウェブサイト又はユーザの移動電話又は他の装置へ送信されうる。更に又は或いは、前記調整された測定値は、前記方法が実行された前記装置、例えば手首装着型フィットネストラッカ又はスポーツウォッチ等ウェアラブル装置、のディスプレイ装置を使用して前記ユーザへ表示されうる。
【００２５】
本発明の実施形態では、前記第１及び／又は第２データバッファは、新規の測定値が１４日等の所定期間取得されないならクリアにされる。理解されるように、前記データバッファのリセットをトリガする前記期間は、所望のように前記第１及び第２データバッファの間で異なることができる。前記データバッファ、ひいては前記第１及び第２データセットに基づく関連する統計は、後に受信される新規の測定値が期限切れの測定値により不利に影響されないように、任意の休止（不活動）期間の後にリセットされる。
【００２６】
本発明に従った前記方法は、少なくとも部分的にソフトウェアを使用して実施されてもよいことが理解されるだろう。従って、更なる態様及び更なる実施形態から見ると、本発明は、適当なデータ処理手段での実行時に、本明細書に記載に方法の何れか又は全てを実行するように構成されたコンピュータ可読命令を含むコンピュータプログラム製品に及ぶことが分かるだろう。本発明は、そのようなソフトウェアを含むコンピュータソフトウェアキャリヤにも及ぶ。そのようなソフトウェアキャリヤは、物理（又は継続性のある）記憶媒体であることができ、或いは、有線の電気信号、光学信号又は衛星等の無線信号等の、信号であることができる。従って、本発明の別の態様によれば、システムの１つ以上のプロセッサにより実行される場合に、前記システムに、上記の態様及び実施形態の何れかの方法を実行させる命令を含むコンピュータプログラム製品、例えばコンピュータソフトウェアが提供される。前記コンピュータプログラム製品は、継続性のあるコンピュータ可読媒体に格納されうる。
【００２７】
その実施に関わらず、本発明に従って使用される移動装置又はウェアラブル装置は、プロセッサ、メモリ、及び、選択的に、身体組成を測定するための１つ以上のセンサを備えてもよい。前記プロセッサ及びメモリは、協働してソフトウェアオペレーティングシステムが構築されてもよい実行環境を提供する。１つ以上の追加のソフトウェアプログラムが、前記装置の機能性が制御可能なように、且つ、様々な他の機能を提供するように、提供されてもよい。前記装置は、１つ以上の出力インタフェースを備えてもよく、それにより情報が前記ユーザへ伝達されてもよい。前記出力インタフェースは、視覚ディスプレイ装置及び可聴出力のためのスピーカのうちの１つ以上を含んでもよい。前記装置は、オン／オフ操作又は前記装置の他の特徴を制御するための１つ以上の物理ボタンを含む入力インタフェースを備えてもよい。
【００２８】
更なる態様又は実施形態の何れかに従った本発明は、相互に矛盾しない程度に、本発明の他の態様又は実施形態に関連して記載された特徴の何れかを含んでもよい。
【図面の簡単な説明】
【００２９】
添付の図面を参照して、例示としてのみ、様々な実施形態が記載されるだろう。
【図１Ａ】図１Ａは、本発明を組み込むことができる手首に装着されるアクティビティトラッカの斜視図である。
【図１Ｂ】図１Ｂは、装置の内部又は肌を向く側を示す、図１Ａのアクティビティトラッカの代替斜視図である。
【図２】図２は、本発明の実施形態に従った方法を示すフロー図である。
【図３】図３は、アクティビティ又はフィットネストラッカで提供されうる様々な特徴及び構成要素の概略図である。
【図４】図４は、本発明の方法を使用した、データ値及び平滑化された出力を示すチャートである。
【発明を実施するための形態】
【００３０】
以降の実施形態は、手首に装着される装置又は、スポーツウォッチ等の他のウェアラブル装置、又はアクティビティ又はフィットネストラッカに組み込まれる発明に関する。しかしながら、本発明は、形態電話等の別の移動装置等の他の装置に、又は、ここにリストされたような別の装置からデータ値を受信するウェブサーバにも組み込まれうる。
【００３１】
図１Ａ及び図１Ｂを参照すると、本発明は、手首ストラップ１と、当該ストラップ１に取り付けられる、当該ストラップ１に組み込まれる、当該ストラップ１上又は内に装着される、又は、当該ストラップ１に取り外し可能に装着される、トラッカモジュール２とを含む手首装着トラッカに組み込まれる。ストラップは、弾性のある又は伸縮性のストラップであってもよいし、或いは、ファスナー／バックル３で調整可能なストラップであってもよい。
【００３２】
実施形態では、トラッカモジュール２は、（図３に示されるように）プロセッサ２０２を包含する。プロセッサは、本発明の平滑化方法を実行するようにプログラムされてもよい。好適な実施形態では、トラッカモジュールは、身体パラメータが計算されうる身体信号又は計測値を取得する、以下で更に記載されるセンサ手段を包含し、これらは、この実施形態では同じプロセッサで、本発明の方法により平滑化される。示されて記載される実施形態では、平滑化方法により生成される身体組成パラメータの実際の指標は、アクティビティトラッカのディスプレイ４上に表示されるというよりはむしろ、表示、解析等のために別の装置へ送信される。しかしながら、アクティビティトラッカは、例えば（以降にさらに記載される）チェックマークアイコンによって平滑化処理が完了したことの指標、又は、（例えばディスプレイ上のクロスアイコンにより）処理が失敗したことの指標を提供しうる。しかしながら、他の実施形態では、身体組成パラメータの実際に平滑化された指標、例えばユーザの体脂肪率は、ディスプレイ４に表示されうる。
【００３３】
上述したように、示される実施形態では、アクティビティトラッカは、データ値を計算するために身体測定／信号を取得するためのセンサ手段を含む。しかし、他の実施形態では、ユーザは、平滑化処理を実行してその結果を送信及び／又は表示するためにアクティビティトラッカへ送信されうるデータ値を取得するための別個の装置又はセンサ／モニタを有することができる。
【００３４】
この実施形態では、センサ手段は装置上に提供され、電圧／電流センサのペア、電極５０、５１の形式である。一方の電極５０は、使用時に装着者の手首と接触するように装置の内側にある。他方の電極５１は、トラッカの外向き側にある。身体パラメータ測定するための装着者の身体を通る２つの電極間のループを完成するために、ユーザは外側電極５０上に指を置く。すると、記載の実施形態では、インピーダンス等の身体パラメータを測定するために装着者の身体を通って一方の電極から他方の電極へ測定電流が流れる。電極５０及び５１は通常、実際に、各々が入力電極及び出力電極を含む電極ペアである。身体インピーダンスの測定値は、先行技術、例えば米国特許出願公開第２０１６／００８９０５３号明細書で周知のようにして取得される。
【００３５】
上記のように、インピーダンスは、２点システム又は４点システムを使用して測定されうる。４つの電極が使用されるなら、これらは、並んだ（サイドバイサイド）電極の２つのペアとして、或いは、示されるように、同心電極の２つのペアとして、提供されてもよい。一例として、４つの電極が提供される場合あっても、装置の各側上の一方の電極（図の５０、５１、５２、５３）がインピーダンスを判定するために使用される。他方の電極５１及び５３は、例えば、システムにおける構成要素のロスを考慮してより正確な読み取りを提供するために、フィードバックシステムの一部であってもよい。他の実施形態では、全ての４つの電極５０、５１、５２及び５３は、４点測定システムで使用される。
【００３６】
インピーダンス測定に基づいて、且つ、体重、年齢、伸張、性別等の他のユーザ固有の入力を使用して、身体組成パラメータが、好適には既知のＢＩＡアルゴリズムを使用して計算される。身体組成パラメータは、脂肪率、筋肉率、体内の流体／水の量、筋肉強度であってもよい。
【００３７】
上述したように、そうした測定値は、様々な理由で不正確で一貫していないかもしれない。本発明の平滑化方法は、例えばＢＩＡアルゴリズムにより取得されたデータ値を処理して、例えば身体組成パラメータの平滑化された指標を提供する。これは図４のチャートに見ることができる。このチャートでは、各垂直な点線は新規の日にちを表す。円はデータ値を表しており、点線は短期トレンドバッファの平均及び範囲境界を示し、連続線は長期トレンドバッファの平滑化された出力を表している。
【００３８】
図２は、記載された実施形態ではトラッカモジュール２のプロセッサで実行される本発明の方法を示すフロー図である。
【００３９】
データ入力は、ＢＩＡ処理からの結果であってもよいデータ値入力、例えば体脂肪率又は筋肉、及び第２入力として、時間を含む。これらは、任意の異常値、すなわち、許容範囲を超過するデータ値、例えば、ある期間、例えば数日中の、或いは、比較的少ない数の測定値、例えば１０個の、短期トレンドバッファに格納されたデータ値の平均値を中心とした範囲を超過するデータ値、を除外する短期トレンドバッファ６へ提供される。許容バンド−すなわち‘良好な’値−に入る値は、長期トレンドバッファ７へ提供される。
【００４０】
長期トレンドバッファは、ある期間に、例えば数日のうちに取得された‘良好な’値を格納し、別の装置／場所へ送信するための、或いは、装置のディスプレイ４への表示のための、身体組成パラメータの指標としての出力としてこれらの値の平均値を提供する。
【００４１】
出力指標は、送信／表示される前に、限定処理／丸め処理８を受け、それにより、所与期間、例えば１２時間又は２４時間、或いは、所与の数の測定値にわたる変動が、それらが所与のパーセント、例えば０．５％、１％等を超えて変動しない場合にのみ出力され、或いは、そのように変化する場合、それらは最大変化、例えば１％にトリミングされる。
【００４２】
好適には、バッファは定期的な間隔で、例えば１４日ごとにリセットされる。
【００４３】
図３は、フィットネストラッカの処理能力の例を示す。トラッカモジュール２は、入力装置２１２、出力装置２０２、Ｉ／Ｏポート２１６、ディスプレイモジュール２１０、メモリ２２０、ＧＰＳモジュール２０４、電源２１８、送信機／受信機２０６、ＢＩＡモジュール２３０及び平滑化モジュール２４０を含む様々な機能モジュールと通信するプロセッサ２０２を含む。もちろん、アクティビティトラッカ又は他のウェアラブル装置は、より多くの機能又はより少ない機能を有してもよい。
【００４４】
上記の本発明の第１態様の平滑化方法は、広範囲の装置で使用されることができるが、好適には、上記の‘指’センサ又は電極／電極ペアを組み込んだ手首装着型装置に特に適用されることがわかっている。
【００４５】
本発明の様々な態様及び実施形態が記載されてきたが、本発明の範囲は記載された実施形態に限定されるものではなく、特許請求の範囲により規定されるものであることが理解されるだろう。
【図１Ａ】
2019531114.tif 000003
【図１Ｂ】
2019531114.tif 000004
【図２】
2019531114.tif 000005
【図３】
2019531114.tif 000006
【図４】
2019531114.tif 000007
【国際調査報告】
2019531114.tif 000008
2019531114.tif 000009
2019531114.tif 000010